(57)【要約】  本発明は、積層可能な物品の包装容器に関するものであり、積層が可能で、安全なロック手段を備えて、卵のように壊れやすい物品を安全に個別包装して、物品が破損した場合に内容物が外部に流出するのを防止することができる容器に関するものである。本発明による積層可能な物品の包装容器は、収容部と、蓋部と、ロック部とを含む。収容部は、収容底板と、内部に収容空間を限定するために底板の端から傾斜するように延びた複数の傾斜側壁とを含む。蓋部は、カバープレートと、上部に収容空間を限定するためにカバープレートの端から傾斜するように延びた複数の傾斜側壁とを含む。ロック部は、ロック底板と、内部に収容空間を限定するために前記底板の端から傾斜するように延びた複数の傾斜側壁とを含む。また、本発明に係る容器は、卵のように壊れやすいものを安全に個別保管するために、収容部に挿入されて結合された波形挿入部をさらに含むことができる。 本発明に係る積層可能な容器は、収容部の傾斜側壁がロック部の傾斜側壁に密着するように収容部がロック部に挿入され、容器が開かないようにロック機能を果たして、蓋部が保管や運搬中に開かないようにする。また、蓋部に形成された切断線を切開して容易に容器の蓋部を開放することができる。【選択図】図１
2015522491.tif 000002
【特許請求の範囲】
【請求項１】
収容底板と、収容空間を限定するために前記収容底板の端から傾斜するように延びた複数の傾斜側壁を含む収容部と、
カバープレートと、収容空間を限定するために前記カバープレートの端から傾斜するように延びた複数の傾斜側壁を含む蓋部と、
ロック底板と、収容空間を限定するために前記ロック底板の端から傾斜するように延びた複数の傾斜側壁を含むロック部とを含み、
前記収容部の前記傾斜側壁に連結された前記蓋部を回転させて前記収容部の上部を覆い、前記蓋部の前記傾斜側壁に連結された前記ロック部を回転させて前記収容部を、ロック部の前記収容空間に挿入して、前記蓋部が開かないように拘束するために、
前記蓋部の両側に前記収容部と前記ロック部が配置されてあり、
隣接する、前記収容部の前記傾斜側壁と前記蓋部の前記傾斜側壁とが連結されており、隣接する、前記蓋部の前記傾斜側壁と前記ロック部の前記傾斜側壁とが連結されており、
前記収容部は、前記収容部の前記傾斜側壁と前記ロック部の前記傾斜側壁とが密着して前記ロック部の前記収容空間に挿入されるようにした積層可能な物品の包装容器。
【請求項２】
前記収容部と連結された前記蓋部の前記傾斜側壁と、前記ロック部と連結された前記蓋部の前記傾斜側壁のうち少なくとも一つの傾斜側壁に連結を切断するための切断線が形成されている請求項１に記載の積層可能な物品の包装容器。
【請求項３】
ランドと、前記ランドの両側に形成されたグルーブと、隣接するランドと前記グルーブとを連結し、波進行方向に沿って順次に相互反対方向に傾斜した支持側壁とを含む波形挿入部をさらに含み、
前記波形挿入部の各グルーブは平らな溝底部を備え、各溝底部は前記収容部の前記収容底板に結合されており、
前記収容底板には結合された前記溝底部の間が削除されて積層貫通穴が形成された請求項１または請求項２に記載の積層可能な物品の包装容器。
【請求項４】
前記波形挿入部の各ランドには、前記波形挿入部の前記グルーブを分割するための緩衝板が挿入されるように波進行方向に切開部が形成された請求項３に記載の積層可能な物品の包装容器。
【請求項５】
前記波形挿入部の少なくとも一つの支持側壁には、収容されている物品の一部が挿入されるための貫通孔が形成された請求項３に記載の積層可能な物品の包装容器。
【請求項６】
前記収容部の前記波進行方向の両側傾斜側壁から延びた一対の支持翼部と、前記蓋部の前記波進行方向の両側傾斜側壁から延びた一対の支持翼部をさらに含む請求項３に記載の積層可能な物品の包装容器。
【請求項７】
前記収容部の各支持翼部は折れて前記収容部の前記底板に端部が接触するようになっていて、
前記蓋部の前記各支持翼部は折れて、前記蓋部の前記カバープレートに端部が接触するようになっており、
上記各支持翼部には、収容されている物品の一部が挿入されるための少なくとも一つの貫通孔が形成されている請求項６に記載の積層可能な物品の包装容器。
【発明の詳細な説明】
【技術分野】
【０００１】
本発明は、積層可能な物品の包装容器に関するものであり、より詳細には、物品を収容しない状態において、積層が可能で、蓋が運搬や保管中に開かないように安全なロック手段を備えた容器に関するものである。また、本発明は、積層が可能で、安全なロック手段を備えて、卵のように壊れやすい物品を安全に個別包装して、物品が破損した場合に内容物が外部に流出するのを防止することができる容器に関するものである。
【背景技術】
【０００２】
卵のように壊れやすい物品を個別包装するための紙容器を製造する方法として、パルプモールド技術が知られている。パルプモールド技術で卵包装容器（卵パック）を製造する場合、容器が小さい場合は蓋を一体に成形することができるが、容器が大きい場合は蓋を一体に成形するのが困難である。例えば、３０個の卵を収容するための大きな容器は、蓋を一体に成形することが困難で、別の合成樹脂で製造された蓋を使用するため、環境に優しくない。また、１０個、２０個程度の卵を包装するための小型の卵包装容器は、パルプモールド技術で蓋を一体に成形することができるが、容器の蓋表面に収容された物品の商標や製造業者などを表示するための印刷を直接するのが困難である。したがって、容器の表面に別途印刷された出所を表示するためのラベルを貼付するため、製造コストが上昇する。また、パルプモールド技術を利用して包装容器を製造する場合、成形された容器を乾燥するための乾燥工程が必要であり、乾燥に多くのエネルギーが消費される。
【０００３】
上述したパルプモールド技術で製造された紙容器の問題点を解決するために、段ボールなどの紙板を折って卵を包装できる容器が米国特許第４，４６２，５３７号に開示されている。米国特許第４，４６２，５３７号の図８及び図９に図示された段ボールや板紙で作られた卵包装容器は、箱の外面に印刷ができる利点がある。第４，４６２，５３７号に図示された容器の中で、図９に示した実施例が本発明の容器と関連がある。しかし、図９に示した実施例の容器は、容器の側壁が互いに干渉して積層されない。図９に示した実施例の容器を積層するためには、容器中央の傾斜壁が接着された側壁の一部を除去しなければならず、積層のために側壁の一部を除去する場合、容器の強度が弱くなる。容器を積層することができない場合は、容器の保管及び運搬に多くの費用がかかる。また、従来の養鶏場に設置された卵包装装置に容器を積層された状態で供給することができないので、従来の卵包装装置を活用することは難しい。
【０００４】
米国特許第４，４６２，５３７号の問題点を解決するための紙製包装容器が、米国特許第７，１８８，７２７Ｂ２号に開示されている。米国特許第７，１８８，７２７Ｂ２号の図３に示された容器は、段ボールや板紙で製造され、容器に印刷が可能で、容器の蓋を開放した状態で、ある容器の上部に他の容器を積層することができるという利点がある。
【０００５】
米国特許第７，１８８，７２７Ｂ２号に開示された容器は、カバー（ｃｏｖｅｒ）と、底部（ｂｏｔｔｏｍ  ｐａｒｔ）と、インサート（ｉｎｓｅｒｔ）とを含んでいる。底部にはリセスが形成されており、インサートはリセスの周囲の底部に接着されて立てられ、底部を、物品を収容するための複数の収容セルで区画する。インサートは、立てられた状態で貫通孔を備えるように、折り線を備えた板紙の展開図を折って作られる。したがって、カバーが開放された状態である容器の下部に置かれる容器のインサートが、ある容器のリセスを介してインサートに挿入されて積層される。
【０００６】
しかし、インサートによって区画された収容セルに置かれた物品は、いずれも物品の一部が側壁によって支持されるようになっていて、保管や運搬中に側壁に衝撃が加えられる場合、収容された物品を十分に保護できない問題点がある。また、収容された物品が容器の底板と直接接触するようになっていて、底からの衝撃から、保管された物品を十分に保護できない問題点がある。また、多くの折線を備えた複雑な構造のインサートを折る工程を機械により自動化することが難しく、折られたインサートを底部に接着する工程も機械により自動化するのが難しいという問題点がある。即ち、容器の構造が複雑なため、大量生産が難しく、価格が高くなるという問題もある。
【発明の概要】
【発明が解決しようとする課題】
【０００７】
市場では、卵のように壊れやすい物品をより安全かつ安価に梱包できる容器に対するニーズがある。このような市場のニーズに応え、上記特許の問題点を解決するために、本出願の発明者は、壊れやすい物品の包装容器という発明の名称で２件の特許を韓国に出願した。一件は、特許出願番号第１０−２０１１−０１１２５７０号（出願日２０１１．１０．３１）であり、もう１件は特許出願番号第１０−２０１１−０１２１２２９号（出願日２０１１．１１．１８）である。上記２件の特許明細書に開示された技術的事項は、すべて本明細書の一部として合体される。
【０００８】
上記２件の特許に開示された包装用容器は、収容部と、収容部に挿入されて結合された波形挿入部と、蓋部とを含む。収容部は、底板と、底板の端から上部へ傾斜するように延びた複数の傾斜側壁とを含む。蓋部は、カバー部と、カバープレートの端から傾斜するように延びた複数の傾斜側壁とを含む。波形挿入部の少なくとも一つのランド（ｌａｎｄ、ｈｉｇｈｅｒ  ｐｏｒｔｉｏｎ）と、前記ランドの両側に形成されたグルーブ（ｇｒｏｏｖｅ、ｌｏｗｅｒ  ｐｏｒｔｉｏｎ）と、隣接するランドとグルーブを連結して、波進行方向に沿って順次に相互反対方向に傾斜した支持側壁とを含む。また、波形挿入部の各グルーブは、平らな溝底部を備えて、各溝底部は、収容部の底板に結合されている。また、収容部の底板には、結合された溝底部との間が削除されて積層するための積層貫通孔が形成されている。また、収容部の底板に形成された積層貫通孔と積層貫通孔との間には、リブが形成されている。波形挿入部の溝底部は、リブに結合されている。したがって、複数の容器を積層する場合、下部に置かれた容器の波形挿入部のランドが積層貫通孔を通過して、上部に置かれた容器のランドの下部に配置され、波形挿入部のグルーブやランドによる干渉が生じない。また、波形挿入部は、収容部の傾斜側壁と一定距離離隔されて収容部の底板に結合されている。したがって、複数の容器を積層する場合、下部に置かれた容器の波形挿入部のランドと上部に置かれた収容部の傾斜側壁による干渉が生じない。
【０００９】
本発明の発明者が開発した上記２件の特許に開示された容器は、製品をグルーブに収容するようになっている。グルーブに収容された製品は、収容部の底板と傾斜側壁と蓋部のカバー部と接触しないようにグルーブを形成する一対の対向する支持側壁によって支持される。したがって、上記２件の特許に開示された容器は、容器に加えられた外部の衝撃が直接収容された物品に加わるのを防止して、安全に物品を保護することができる。
【００１０】
しかし、上記２件の特許に開示された容器は、次のような問題点を持っている。第一に、卵や液体が収容されたガラス瓶のように壊れやすい物品が衝撃によって破損した場合、内容物が収容部の積層貫通孔を介して外部に流出する恐れがある。第二に、収容部に蓋部を締結する構造が脆弱で、容器が運搬や保管中に開放されて収容された物品が損傷を受ける恐れがある。
【００１１】
本発明は、上記の問題点を解決するための新しい構造の容器を提供することを目的とする。
【００１２】
本発明の第１の目的は、積層可能で、容器の保管や運搬中に蓋が開放されるのを防止して、収容された物品を安全に保護すると同時に、容易に蓋を開放して、収容された物品を取り出すことができる新しい構造の容器を提供することである。
【００１３】
本発明の第２の目的は、積層可能で、壊れやすい物品を安全に保護すると同時に、収容された物品が破損した場合に、内容物が外部に流出するのを防止することができる新しい構造の容器を提供することである。
【課題を解決するための手段】
【００１４】
本発明による積層可能な物品の包装容器は、収容部と、蓋部と、ロック部とを含む。収容部は、収容底板と、内部に収容空間を限定するために底板の端から傾斜するように延びた複数の傾斜側壁とを含む。蓋部は、カバープレートと、上部に収容空間を限定するためにカバープレートの端から傾斜するように延びた複数の傾斜側壁とを含む。ロック部は、ロック底板と、内部に収容空間を限定するために前記底板の端から傾斜するように延びた複数の傾斜側壁とを含む。
【００１５】
また、本発明に係る容器は、広げられた状態で、収容部の傾斜側壁と蓋部の傾斜側壁とロック部の傾斜側壁とがほぼ同じ傾きで上部に向かって開くように傾斜してそれぞれ収容空間を限定する。また、本発明に係る容器は、収容部の傾斜側壁に連結された蓋部を回転させて、収容部の上部を覆って、蓋部の傾斜側壁に連結されたロック部を回転させて、収容部をロック部の収容空間に挿入して、蓋部が開かないように拘束する。つまり、蓋部の両側に収容部とロック部とが配置されており、隣接する、収容部の傾斜側壁と蓋部の傾斜側壁とが連結されており、隣接する、蓋部の傾斜側壁とロック部の傾斜側壁とが連結されている。また、収容部は、収容部の傾斜側壁とロック部の傾斜側壁とが密着するように、ロック部の収容空間に挿入される。
【００１６】
また、ロック部を蓋部に連結された傾斜側壁を中心に回転させるとき、前記蓋部の傾斜側壁の端部が前記ロック部の傾斜側壁の端部と相接するように形成されている。蓋部の傾斜側壁は、ロック部の傾斜側壁と対応させて、蓋部が閉じている場合、蓋部の傾斜側壁の端部面と、ロック部の傾斜側壁の端部面とが接触して収容された物品を保護するようにすることが好ましい。
【００１７】
収容部（ｒｅｃｅｐｔａｃｌｅ）とカバー部とロック部とは、紙板（ｐａｐｅｒ  ｂｏａｒｄ）を折って作ることができる。紙板は、板紙（ｃａｒｄｂｏａｒｄ）や段ボール（ｃｏｒｒｕｇａｔｅｄ  ｐａｐｅｒ  ｂｏａｒｄ）を含む。また、紙板は紙表面の性質を改善するために、合成樹脂や化学物質でコーティングされた層を含むこともできる。収容部とカバー部とロック部とを紙板で製造する場合、一枚の板紙で傾斜側壁が連結されている展開図を作成し、連結部に折り線を形成して一体に形成することができる。本発明に係る容器を紙板以外の他の材料を使用して製造することもできる。例えば、フィルムを真空成形したり、合成樹脂を射出成形したりして製造することもできる。
【００１８】
容器に収容された物品を取り出すために容器を開放する場合、ロック部と蓋部とを、それぞれ連結された傾斜側壁を中心に逆回転させなければならない。この場合、容器に収容された内容物が溢れる恐れがある。したがって、容器の蓋部のみ回転させて、容器の内容物を取り出せるように蓋部の両側の傾斜側壁のうちいずれか１つまたは両方に切断線を形成することが好ましい。使用者が容器から内容物を取り出す際に収容部と連結された蓋部の傾斜側壁に切断線が形成された場合、切断線に力を加えて傾斜側壁を切開し、蓋部と収容部の連結を切断すると、蓋部を、ロック部に連結された傾斜側壁を中心に回転させ、容易に容器を開放して収容部に収容された物品を取り出せる。
【００１９】
また、本発明に係る容器は、卵のように壊れやすいものを安全に個別保管するために、収容部に挿入されて結合された波形挿入部をさらに含むことができる。波形挿入部は、ランドと、ランドの両側に形成されたグルーブと、隣接するランドとグルーブとを連結して波進行方向に沿って順次に相互反対方向に傾斜した支持側壁とを含む。また、波形挿入部の各グルーブは、平らな溝底部を備え、各溝底部は、前記収容部の底板に結合されている。また、容器が積層できるように収容部の底板に積層貫通孔が形成されている。積層貫通孔は、底板に結合された溝底部との間を除去して形成する。積層貫通孔には、複数の容器を積層する際に下部に配置される容器のランドが挿入される。
【００２０】
波形挿入部（ｃｏｒｒｕｇａｔｅｄ  ｉｎｓｅｒｔ）は、紙板（ｐａｐｅｒ  ｂｏａｒｄ）を折って作ることができる。紙板は板紙（ｃａｒｄｂｏａｒｄ）や段ボール（ｃｏｒｒｕｇａｔｅｄ  ｐａｐｅｒ  ｂｏａｒｄ）を含む。また、紙板は紙表面の性質を改善するために、合成樹脂や化学物質でコーティングされた層を含むこともできる。波形挿入部（ｃｏｒｒｕｇａｔｅｄ  ｉｎｓｅｒｔ）は、二つの折線（ｔｗｏ  ｆｏｌｄ  ｌｉｎｅｓ）によって形成された複数のグルーブ（ａ  ｐｌｕｒａｌｉｔｙ  ｏｆ  ｇｒｏｏｖｅｓ）を備える。したがって、波形挿入部の各グルーブ（ｇｒｏｏｖｅ）は、平らな溝底部（ｂｏｔｔｏｍ  ｐｏｒｔｉｏｎ）を備えて接着が容易である。波形挿入部の波は、溝底部から開始して、溝底部で終了する波である。波形挿入部は、紙板以外の他の材料を使用して製造することもできる。例えば、フィルムを真空成形したり、合成樹脂を射出成形したりして製造することもできる。特に、波形挿入部は、紙と同様の弾性を有する材質であれば何でも良い。
【００２１】
収容部の底部に形成された積層貫通孔と積層貫通孔との間にはリブが形成される。溝底部はリブに結合される。波形挿入部の各溝底部は、対応するリブに接着剤で接合されるか、ホッチキスで結合されることができる。また、溝底部に突起を形成し、収容部の底部に突起を挿入するためのグルーブを形成して接着剤を使用せずに挟んで結合することもできる。収容部の底板に形成された積層貫通孔は、リブと結合された溝底部から延びた隣接の傾斜した支持側壁によって形成される空間と連通する。波形挿入部は、収容部の傾斜側壁と一定距離離隔されて収容部の底板に結合されている。また、収容部の傾斜側壁は、底板から上部に傾斜するように形成されており、波形挿入部の両側の傾斜した支持側壁は、傾斜側壁と一定距離離隔されている。したがって、ある容器が他の容器の上部に積層される場合、下部に位置する容器のランドが上部に位置する容器の底板の積層貫通孔を通過して、リブと結合された溝底部から延びた隣接する支持側壁によって形成された空間に挿入されて積層できる。即ち、積層する際に収容部の傾斜側壁による干渉や波形挿入部のランドによる干渉が生じない。
【００２２】
本発明に係る積層可能な容器は、波形挿入部の支持側壁の間（ランドとランドとの間のグルーブ）に壊れやすい物品を収容することが好ましい。波形挿入部に対向する支持側壁は、底に向かって幅が狭くなるようにテーパ形で傾斜していて、対向する支持側壁間に収容された物品はグルーブの溝底部と接触しない。したがって、容器の底からの衝撃が収容された物品に直接伝わらない。また、傾斜側壁は、収容部の底板から傾斜するように上部に延びて、容器に収容された物品は収容部の傾斜側壁と接触しない。よって、収容部の傾斜側壁からの衝撃も直接伝わらない。したがって、波形挿入部のグルーブに収容された卵のように壊れやすい物品を安全に保管することができる。また、本発明に係る積層可能な物品の包装容器は、積層貫通孔が形成された収容部がロック部の収容空間に挿入されている。よって、収容された物品が破損して積層貫通孔から液体が流れ出ても、積層貫通孔下部のロック底板によって外部に流出することが防止される。本発明に係る積層可能な容器におけるロック部は、蓋部が開くのを防止するロック手段の機能を果たしながら、同時に卵や液体などが収容されたガラス瓶のような容器が破損して内容物が収容部の積層貫通孔から流出するのを防止するための漏出防止機能を果たす。
【００２３】
また、本発明に係る物品の包装容器は、波形挿入部の支持側壁の波幅方向の両側はランド向き方向に沿って幅が狭くなるように傾斜を形成することが好ましい。波形挿入部の支持側壁に傾斜が形成された場合、波形挿入部を上部に積層される容器の積層貫通孔に挿入するのが容易である。
【００２４】
また、波形挿入部のランドの高さを収容部の傾斜側壁の高さよりも高くして、蓋部が閉じている場合、波形挿入部のランドの頂部が蓋部のカバープレートと接触して収容された物品を保護するようにすることがさらに好ましい。波形挿入部に形成された複数のランドは、平らな頂部（ｆｌａｔ  ｔｏｐ  ｐｏｒｔｉｏｎ）を有するように二つの折線によって形成するか、鋭角になるように一つの折線によって形成することができる。ランドの頂部を鋭角になるように形成する場合には、容器の波進行方向の長さを短くして、容器をよりコンパクトにすることができる。
【００２５】
本発明において、紙板に形成された折線を順次に折ってグルーブとランドを形成する際に、波進行方向（図１の矢印Ａの方向）は、ランドから隣接するランドに向かう方向（グルーブから隣接するグルーブに向かう方向）を意味し、波幅方向は（図１の矢印Ｂの方向）は、波形挿入部の幅方向（グルーブの長さ方向またはランドの長さ方向）を意味する。
【００２６】
本発明に係る容器において、波形挿入部のグルーブに複数の物品を収容する場合、グルーブに収容された物品が波幅方向に流動して互いに衝突して破損するのを防止するために、各グルーブに緩衝板を設置することができる。緩衝板を波形挿入部に設置するために、波形挿入部の各ランドには、波進行方向に切開部を形成する。波形挿入部の各切開部に波進行方向に沿って延びた緩衝板を挿入して、各グルーブを分割する。
【００２７】
また、本発明に係る壊れやすい物品の包装容器は、波形挿入部のランドが１つのみの場合、波形挿入部の波進行方向の両側支持側壁に対向する収容部の傾斜側壁との間に物品を収容することができる。また、ランドが複数である場合にも、波形挿入部の波進行方向の両側支持側壁に対向する収容部の傾斜側壁との間に物品を収容して、包装備品を削減することができる。波形挿入部の両側支持側壁と収容部の波進行方向の傾斜側壁との間に物品を収容する際、傾斜側壁に加わる衝撃が物品に直接加わることを緩和するために、収容部の波進行方向の両側の傾斜側壁から延びた一対の支持翼部と、蓋部の波進行方向の両側傾斜側壁から延びた一対の支持翼部とをさらに含むことができる。収容部の支持翼部は収容底板に向かって折れて、蓋部の支持翼部はカバープレートに向かって折れて、波形挿入部の両側支持側壁と折れた支持翼部との間に物品を収容する場合、支持翼部が傾斜側壁に加わる衝撃が物品に直接伝わることを緩和させる。
【００２８】
また、本発明に係る容器において、卵のように断面が円形や楕円形である物品が隣接する支持側壁間に収容される場合、収容された物品が波幅方向に流動するのを防止するために、波形挿入部に対向する支持側壁にそれぞれ収容された物品の一部が挿入されるための貫通孔や切断線を形成することもできる。また、各支持翼部には、収容される物品の一部が挿入されるための貫通孔を形成することもできる。また、収容部の各支持翼部は折れて、収容部の底板に端部が接触するようになっていて、蓋部の各支持翼部は折れて、蓋部のカバープレートに端部が接触するようにして、物品を支持する支持翼部が所定の傾斜を維持するようにして物品を安全に支持することができる。
【発明の効果】
【００２９】
本発明に係る積層可能な容器は、収容部と、蓋部と、ロック部とを備え、収容部の傾斜側壁がロック部の傾斜側壁に密着するように収容部がロック部に挿入され、容器が開かないようにロック機能を果たして、蓋部が保管や運搬中に開かないようにする。また、蓋部に形成された切断線を切開して容易に容器の蓋部を開放することができる。
【００３０】
また、本発明に係る積層可能な容器は、波形挿入部をさらに含む場合、収容された物品が容器の収容底板とカバープレートと側壁に接触しないように物品を収容する。したがって、容器が外部からの衝撃を受けた場合、衝撃が収容された物品に直接伝わるのを防止して、壊れやすい物品を安全に保管することができる。
【００３１】
また、本発明に係る積層可能な容器は、紙で製造する場合、パルプモールドで製造された容器に比べて、製造方法において環境に優しく、エネルギーを節約し、容器の表面に直接印刷できる利点がある。
【００３２】
また、本発明に係る容器は、積層可能でありながら、同時に液体を含む物品が破損した場合、ロック部のロック底板によって液体が容器外部に漏出するのを防止する。また、容器の構造が簡単で、大量生産ができ、安価な包装容器を提供することができる。
【図面の簡単な説明】
【００３３】
【図１】本発明に係る積層可能な物品の包装容器の一実施例の斜視図である。
【００３４】
【図２】図１に示した実施例の展開斜視図である。
【００３５】
【図３】図２に示した収容部、蓋部、ロック部の展開図である。
【００３６】
【図４】図２に示した波形挿入部の展開図である。
【００３７】
【図５】図１に示した実施例の蓋部を閉じた状態を示す斜視図である。
【００３８】
【図６】図１に示した実施例の収容部がロック部に挿入されて容器が閉じられた状態を示す斜視図である。
【００３９】
【図７】図１に示した実施例の容器に卵が収容された状態を示す説明図である。
【発明を実施するための形態】
【００４０】
以下、添付の図面を参照して、本発明の好適な実施例について詳細に説明する。
【００４１】
図１は、本発明に係る積層可能な物品の包装容器の一実施例の斜視図であり、図２は、図１に示した実施例の展開斜視図であり、図３は、図２の収容部、蓋部、ロック部の展開図であり、図４は、図２の波形挿入部の展開図である。説明の便宜のため、図１の矢印Ａ方向を波進行方向とし、矢印Ｂ方向に波幅方向とする。
【００４２】
図１を参照すると、本実施例の積層可能な物品の包装容器１００は、卵を収容するための容器であるが、前記用途に限定されるものではない。容器１００は、収容部１１０と、蓋部１２０と、ロック部１３０とを含む。また、収容部１１０の収容空間には、波形挿入部１５０が挿入されている。波形挿入部１５０のランドＭの波幅方向の中央には、グルーブＧを分割するための緩衝板１５５が挿入されることができる。本実施例における緩衝板１５５は、必要に応じて選択的に使用できる。
【００４３】
本実施例では、収容部１１０、蓋部１２０、ロック部１３０は、板紙（ｃａｒｄｂｏａｒｄ）や段ボール（ｃｏｒｒｕｇａｔｅｄ  ｐａｐｅｒ  ｂｏａｒｄ）を使用した場合について説明するが、これに限定されるものではない。合成樹脂フィルムを真空成形したり、合成樹脂を射出成形したりして製造することもできる。容器１００の外側となる紙板の背面に製品の商標や出所などを表示する情報が印刷できる。印刷の容易性を考慮すると、板紙を使用することが好ましく、紙容器の強度を考慮すると、段ボールを使用することが好ましい。また、湿気や水分に耐えられるように、合成樹脂などがコーティングされた紙を使用することもできる。
【００４４】
図３を参照すると、本実施例では、収容部１１０、蓋部１２０、ロック部１３０は、一枚の紙板をプレスでダイカットやパンチングして生成した展開図を折って作られたものである。図面において、折線は点線で表示されて、アルファベットの図面符号を使用し、切断線は実線で表示されて、数値の図面符号を使用した。
【００４５】
図２及び図３を参照すると、収容部１１０は、長方形の収容底板１１１と収容底板１１１の端に延びた４つの傾斜側壁１１２、１１３、１１４、１１５を備える。収容部１１０の収容空間Ｃ１は、収容底板１１１の端に形成された正方形の折線ａ１から上部に傾斜するように折れた４つの傾斜側壁１１２、１１３、１１４、１１５によって限定される。図３を参照すると、収容部１１０の波進行方向の両側の傾斜側壁１１４、１１５にはそれぞれ支持翼部１１６、１１７が延びている。各支持翼部１１６、１１７には、卵の一部を収容して支持するための貫通孔１１６ａ、１１６ｂ、１１７ａ、１１７ｂが形成されている。支持翼部１１６、１１７は、それぞれ折線ｂ１によって傾斜側壁１１５、１１６に連結されている。図２を参照すると、収容部１１０の各支持翼部１１６、１１７は、端部が収容底板１１１に接触するように折れている。また、収容部１１０の波進行方向の両側の傾斜側壁１１４、１１５は、それぞれ折線ｃ１によって区分される接着部１１４ａ、１１４ｂ、１１５ａ、１１５ｂを備える。接着部１１４ａ、１１４ｂ、１１５ａ、１１５ｂは、それぞれ隣接する傾斜側壁１１２、１１３に接着剤で接着されて収容空間Ｃ１を形成する。また、収容底板１１１には、波進行方向に４つの方形の積層貫通孔１１１ａが一定間隔で形成されている。積層貫通孔１１１ａは、長方形状であり、図面において、縦の長さ（波進行方向）は、波形挿入部１５０が折れたときに隣接する溝底部間の間隔に対応して、横の長さ（波幅方向）は、波形挿入部の波幅方向の長さと同じか若干大きく形成されている。収容底板１１１の積層貫通孔１１１ａと積層貫通孔１１１ａとの間には、複数のリブ１１１ｂが形成されている。
【００４６】
図２及び図３を参照すると、蓋部１２０は、長方形のカバープレート１２１とカバープレート１２１の端に延びた４つの傾斜側壁１２２、１２３、１２４、１２５を備える。蓋部１２０の収容空間Ｃ２は、カバープレート１２１の端に形成された正方形の折線ａ２から上部に傾斜するように折れた４つの傾斜側壁１２２、１２３、１２４、１２５によって限定される。本実施例１００において、収容部１１０と蓋部１２０は、切断線１４２によって連結されており、蓋部１２０とロック部１３０は、折線ｄによって連結されている。
【００４７】
また、蓋部１２０の波進行方向の両側の傾斜側壁１２４、１２５には、それぞれ支持翼部１２６、１２７が延びている。それぞれの支持翼部１２６、１２７には、卵の一部を収容して支持するための貫通孔１２６ａ、１２６ｂ、１２７ａ、１２７ｂが形成されている。図２を参照すると、蓋部１２０の各支持翼部１２６、１２７は、端部がカバープレート１２１に接触するように折れている。また、蓋部１２０の波進行方向の両側の傾斜側壁１２４、１２５は、それぞれ折線ｃ２によって区分される接着部１２４ａ、１２４ｂ、１２５ａ、１２５ｂを備える。接着部１２４ａ、１２４ｂ、１２５ａ、１２５ｂは、それぞれ隣接する傾斜側壁１２２、１２３に接着剤で接着されて収容空間Ｃ２を形成する。また、蓋部１２０の波幅方向の一側の傾斜側壁１２２は、切断線１４２によって収容部１１０の傾斜側壁１１３と連結されており、反対側の傾斜側壁１２３は、折線ｄによってロック部１３０の傾斜側壁１３２と連結されている。また、傾斜側壁１２２には、蓋部１２０を開けるために、収容部１１０と分離するための切断線１４３が形成されており、切断線１４２、１４３によって区分される切開部１４１が形成されている。切開部１４１の末端には、切開を容易にするための取っ手１４４が形成されている。
【００４８】
ロック部１３０は、長方形のロック底板１３１と、ロック底板１３１の端に延びた４つの傾斜側壁１３２、１３３、１３４、１３５とを備える。ロック部１３０の収容空間Ｃ３は、ロック底板１３１の端に形成された長方形状の折線ａ３から上部に傾斜するように折れた４つの傾斜側壁１３２、１３３、１３４、１３５によって限定される。また、ロック部１３０の波進行方向の両側の傾斜側壁１３４、１３５は、それぞれ折線ｃ３によって区分される接着部１３４ａ、１３４ｂ、１３５ａ、１３５ｂを備える。接着部１３４ａ、１３４ｂ、１３５ａ、１３５ｂは、それぞれ隣接する傾斜側壁１３２、１３３と接着剤で接着されて収容空間Ｃ３を形成する。蓋部１２０とロック部１３０は、蓋部１２０から支持翼部１２６、１２７を除けば、折線ｄに対して対称となる形状である。蓋部１２０を切断線１４２を中心に回転させて収容部１１０の上部を覆わせ、ロック部１３０を折線ｄを中心に回転させて収容部１１０の下部を収容空間Ｃ３に収容して、蓋部１２０が開かないようにロックする場合、蓋部１２０の傾斜側壁１２２、１２３、１２４、１２５は、対応するロック部１３０の傾斜側壁１３２、１３３、１３４、１３５と端部面で相接して紙容器１００の内部に収容された物品を保護するために対称形状となっている。
【００４９】
図２及び図４を参照すると、波形挿入部１５０は、紙板に４つのランドＭと５つのグルーブＧが形成されるように折線を形成して、ジグザグの形で順次に折って作る。波形挿入部１５０を紙板で作る場合、板紙（ｃａｒｄｂｏａｒｄ）や段ボール（ｃｏｒｒｕｇａｔｅｄ  ｐａｐｅｒ  ｂｏａｒｄ）を使用することができる。波形挿入部１５０のグルーブＧは、二つの折線ｕ、ｖによって形成された平らな溝底部１５１を備える。ただし、波形挿入部１５０の波進行方向の両側に位置する溝底部１５１は、一つの折線によって平らに形成されている。また、波形挿入部１５０のランドＭは、１つの折線ｗと傾斜するように折れた隣接する支持側壁１５２によって形成されている。他の実施例では、ランドＭは、二つの折線によってランドの頂部を平らに形成することもできる。それぞれの支持側壁１５２には、グルーブＧに収容された物品が波幅方向に流動することを拘束するための貫通孔１５２ａ、１５２ｂが形成されている。図示していないが、他の実施例では、グルーブＧに収容された物品が波幅方向に移動することを拘束するために、貫通孔１５４の代わりに貫通孔が形成された位置に複数の切断線を形成することもできる。波形挿入部１５０のグルーブＧ間の間隔は、収容部１１０のリブ１１１ｂ間の間隔に対応するように形成されている。波形挿入部１５０の溝底部１５１は、接着剤で収容部１１０の対応するリブ１１１ｂとそれぞれ結合される。したがって、波形挿入部１５０は、波の形が維持されて、グルーブＧの間に収容された物品を支持側壁１５２が適当な弾性で支持することになる。本実施例では、収容部１１０のリブ１１１ｂと波形挿入部１５０の溝底部１５１は、接着剤を使用して結合したが、ホッチキスを使用して結合するか、溝底部１５１に突起を形成し、底部１１１に溝を形成して突起をグルーブに挿入させて結合することもできる。波形挿入部１５０の支持側壁１５２のランドＭが形成される部分には、波進行方向に切開部１５３が形成されている。切開部１５３には、緩衝板１５５が挿入されて、グルーブＭを分割して収容された物品が流動して互いにぶつかって損傷するのを防止する。図１を参照すると、緩衝板１５５は、各グルーブＧに挿入されるための緩衝部１５５ｂと、切開部１５３に挿入され、緩衝部１５５ｂを連結するための挿入連結部１５５ａとを含む。
【００５０】
図５は、本実施例の容器１００のグルーブに卵を入れて、蓋部１２０を切断線１４２を中心に反時計方向に回転させて収容部１１０の上部を覆った状態を示す。図６は、ロック部１３０を折線ｄを中心に反時計方向に回転させて、収容部１１０がロック部１３０の収容空間に挿入されるようにして、蓋部１２０が開かないように容器をロックした状態を示す。容器１００の蓋部１２０を開けようとする場合、図６に示したように、蓋部１２０の傾斜側壁１２２に切断線１４２、１４３によって形成された切開部１４１を除去して、蓋部１２０を折線ｄを中心に回転させて容器を開放する。図１を参照すると、切開部１４１が除去された場合、収容部１１０から分離された蓋部１２０とロック部１３０は連結されており、収容空間Ｃ２、Ｃ３を備えて使い捨てトレーとしてリサイクルすることができる。
【００５１】
図７は、本実施例の容器１００に卵が収容されている状態を示す概略断面図である。図７を参照すると、波形挿入部１５０の対向する支持側壁１５２の間に収容された卵Ｅ１は、支持側壁１５２に形成された貫通孔１５２ａ、１５２ｂに一部が挿入されて波幅方向に移動が拘束されていて、収容部１１０の波幅方向の傾斜側壁１１２、１１３と接触しない。したがって、収容部１１０の波幅方向の傾斜側壁１１２、１１３からの衝撃が収容された卵に直接伝わらない。また、波形挿入部１５０の対向する支持側壁１５２は、底に向かって幅が狭くなるようにテーパ形で傾斜していて、グルーブＧの間に収容された卵が溝底部１５１と接触しない。したがって、収容底板１１１からの衝撃が直接卵に伝わるのを防止する。また、緩衝壁１５５が支持側壁１５２間に収容された二個の卵Ｅ１が流動しても、卵同士が衝突して卵が割れるのを防止する。
【００５２】
また、波形挿入部１５０の波進行方向両側支持側壁１５２と、収容部１１０の支持翼部１１６、１１７と、蓋部１２０の支持翼部１２６、１２７との間に収容される卵Ｅ２は、支持翼部１１６、１１７、１２６、１２７によって、それぞれが延びた傾斜側壁１１４、１１５、１２４、１２５と接触しないように支持される。したがって、波進行方向の傾斜側壁１１４、１１５、１２４、１２５からの衝撃が直接卵Ｅ２に伝わるのを防止する。また、収容部１１０の支持翼部１１６、１１７及び蓋部１２０の支持翼部１２６、１２７のそれぞれに形成された貫通孔に卵の一部が収容されて流動を防止し、緩衝壁１５５が流動する卵が衝突して破損されるのを防止する。
【００５３】
また、蓋部１２０は、ロック部１３０と同じサイズになっていて、閉じたときに蓋部１２０の傾斜側壁１２２、１２３、１２４、１２５の端部が対応するロック部１３０の傾斜側壁１３２、１３３、１３４、１３５の端部と相接するようになり、収容された卵を保護する。また、波形挿入部１５０のランドＭの高さが収容部１１０の傾斜側壁１１２、１１３、１１４、１１５の高さよりも高く形成されて、蓋部１２０のカバープレート１２１と接触するようになっている。したがって、蓋部１２０のカバープレート１２１から伝達される外部の衝撃が直接卵Ｅ１、Ｅ２に伝わるのを防止する。すなわち、本発明に係る積層可能な容器１００は、容器１００の内部に物品を浮上した状態で支持して、外部の衝撃が直接物品に伝達されるのを防止する。
【００５４】
また、本実施例の容器１００は、積層貫通孔１１１ａが形成された収容部１１０がロック部１３０の収容空間Ｃ３に挿入されている。したがって、卵Ｅ１、Ｅ２が破損して積層貫通孔１１１ａから液体が漏れても、積層貫通孔１１１ａ下部のロック底板１３１が液体が外部に流出するのを防止する。本発明に係る積層可能な容器１００において、ロック部１３０は、蓋部１２０が開くのを防止するロック手段の機能を果たしながら、同時に卵Ｅや液体が収容されたガラス瓶が破損して液体が収容部１１０の積層貫通孔１１１ａから流出するのを防止するための漏出防止機能を果たす。
【００５５】
図２を参照すると、本実施例の容器１００は、緩衝板１５５が組み立てられていない状態でのみ積層が可能である。したがって、物品を容器に入れる前に緩衝板１５５がない状態で運搬及び保管される。緩衝板１５５の使用は選択的なものであり、必要に応じて物品を容器に入れる直前に波形挿入部１５０に挿入して組み立てる。
【００５６】
図示はしないが、緩衝板がない状態で、複数の容器１００を積層する場合について簡単に説明する。本発明に係る容器は、図１に示された容器が組み立てられた状態で、緩衝板が削除され、収容部と蓋部のそれぞれの支持翼が広げられた状態で積層される。複数の容器が積層されるとき、下部に置かれた容器のランドは、上部に置かれた容器の収容部に形成された積層貫通孔を通過して、上部に置かれた容器のランドの下部に形成された空間に挿入されて密着する。また、上部に置かれた容器の傾斜側壁は、下部に置かれた容器の傾斜側壁によって形成された収容空間に挿入されて積層される。また、容器の支持翼部が広げられた状態で、上部に置かれた容器の支持翼部は下部に置かれた支持翼部の上部に載って積層される。
【００５７】
本発明に係る容器が収容部と蓋部とロック部が広げられた状態で積層できるのは、次のような構造を備えているからである。第一に、波形挿入部１５０が収容部１１０の傾斜側壁１１２、１１３、１１４、１１５と一定距離離隔された状態で収容底板１１１に結合されており、傾斜側壁１１２、１１３、１１４、１１５と波形挿入部１５０が積層時に干渉しない。第二に、波形挿入部１５０が結合された底部１１１に積層貫通孔が形成されており、他の容器の波形挿入部のランドが挿入可能であるからである。第三に、波形挿入部の支持側壁１５２が傾斜していて、収容部１１０と蓋部１２０とロック部１３０の傾斜側壁が傾斜しているからである。本実施例に係る容器は、緩衝壁を除去した状態で積層して保管及び運搬することが可能であるため、保管や運搬時にスペースを取り過ぎないので経済的である。
【００５８】
上記の説明と添付図面に示された本発明の実施例は、本発明の技術的思想を限定するものと解釈してはならない。本発明の保護範囲は、特許請求の範囲に記載された事項によってのみ制限され、本発明の技術分野における通常の知識を有する者は本発明の技術的思想を種々の態様に改良変更することが可能である。したがって、これらの改良及び変更は、通常の知識を有する者にとって自明なものであるかぎり、本発明の保護範囲に属することになる。
【図１】
2015522491.tif 000003
【図２】
2015522491.tif 000004
【図３】
2015522491.tif 000005
【図４】
2015522491.tif 000006
【図５】
2015522491.tif 000007
【図６】
2015522491.tif 000008
【図７】
2015522491.tif 000009
【国際調査報告】
2015522491.tif 000010
2015522491.tif 000011
2015522491.tif 000012
2015522491.tif 000013